(57)【要約】【課題】タブの指掛け部に対して缶蓋パネル部に指入れ凹部が形成された開口容易缶蓋について、缶蓋の積み重ね性を悪化させることなく、タブの指掛け部への指掛かり性を向上させる。【解決手段】缶蓋パネル部の一部分であるセンターパネル部９で、タブ６の指掛け部６ａの直下に、指入れ凹部１０よりも深さの浅い補強凹部１１を形成すると共に、タブ６の上面で、少なくとも補強凹部１１と平面視でオーバーラップする範囲に、その範囲以外のタブ上面よりも下方に凹んだ低上面部６ｃを形成する。【選択図】図２
2010070225.tif 000002
【特許請求の範囲】
【請求項１】
開口片を区画するためのスコア線が刻設された缶蓋のパネル部に、開口操作のためのタブがリベット部で固着され、リベット部から離れたタブの一端側の指掛け部に対し、その下方付近から缶蓋周辺側でパネル部に指入れ凹部が形成され、パネル部の指入れ凹部に指先を入れてタブの指掛け部を引き上げることで開口操作を行なうような開口容易缶蓋において、パネル部には、タブの指掛け部の直下に、指入れ凹部よりも深さの浅い補強凹部が形成されていると共に、タブの上面には、少なくとも補強凹部と平面視でオーバーラップする範囲に、その範囲以外のタブ上面よりも下方に凹んだ低上面部が形成されていることを特徴とする開口容易缶蓋。
【請求項２】
指入れ凹部の周縁部分に補強凹部が連設されていて、指入れ凹部との境界となる補強凹部の端縁が、タブの指掛け部の外端の下方近傍に位置していることを特徴とする請求項１に記載の開口容易缶蓋。
【請求項３】
パネル部のうちで、少なくともタブと指入れ凹部とを含む範囲が、パネル部の他の部分よりも凹んだセンターパネル部に形成されていて、センターパネル部の周縁を示す輪郭のうちで、タブの指掛け部付近の輪郭が、缶蓋周辺側に向かって拡がるような平面視で略扇状に形成されていることを特徴とする請求項１又は２に記載の開口容易缶蓋。
【発明の詳細な説明】
【技術分野】
【０００１】
本発明は、飲料缶等の缶蓋で、缶蓋のパネル部にリベット止めされたタブの一端側を指掛け部として引き上げることで開口操作を行なうような開口容易缶蓋に関し、特に、タブの指掛け部の下方付近から缶蓋周辺側でパネル部に指入れ用の凹部を形成することにより、開口操作時にタブの指掛け部に指先を掛け易いようにした開口容易缶蓋に関する。
【背景技術】
【０００２】
従来から、飲料用の缶容器では、缶蓋のパネル部にリベット止めされたタブの一端側を指掛け部として引き上げることにより、缶蓋のパネル部のスコア線で囲まれた開口片の部分を缶内に押し下げて、タブや開口片を缶蓋から切り離すことなく、缶蓋のパネル部の一部分を飲み口として部分的に開口するようなステイオンタブ方式の缶蓋が、開口容易缶蓋（イージーオープンエンド）として一般的に使用されており、そのような開口容易缶蓋では、タブの指掛け部を指先で引き上げる際の指掛けを容易にするために、タブの指掛け部の下方付近から缶蓋周辺側でパネル部に指入れ用の凹部を形成するということが一般的に行なわれている（例えば、下記の特許文献１，２等参照）。
【特許文献１】特開２００２−５９９２８号公報
【特許文献２】特開２００６−１７６１４７号公報
【発明の開示】
【発明が解決しようとする課題】
【０００３】
ところで、上記のような指入れ凹部を有する開口容易缶蓋では、指入れ凹部を深くして、缶蓋のパネル部とタブの指掛け部との間の隙間を大きくするほど、タブの指掛け部に指を掛け易くなるが、その反面、タブの指掛け部の直下にまで深さのある指入れ凹部を形成すると、缶蓋の単体同士を積み重ねたときに、タブの指掛け部の上面と指入れ凹部の深い下面とが当接することで、缶蓋の積み重ね性（スタック性）が悪くなって、多数の缶蓋を連続的に供給するような際に、缶蓋の切り出しトラブルが生じるような虞がある。
【０００４】
本発明は、上記のような問題の解消を課題とするものであり、具体的には、タブの指掛け部に対して缶蓋パネル部に指入れ凹部が形成された開口容易缶蓋について、缶蓋の積み重ね性を悪化させることなく、タブの指掛け部への指掛かり性を向上させるようにすることを課題とするものである。
【課題を解決するための手段】
【０００５】
本発明は、上記のような課題を解決するために、開口片を区画するためのスコア線が刻設された缶蓋のパネル部に、開口操作のためのタブがリベット部で固着され、リベット部から離れたタブの一端側の指掛け部に対し、その下方付近から缶蓋周辺側でパネル部に指入れ凹部が形成され、パネル部の指入れ凹部に指先を入れてタブの指掛け部を引き上げることで開口操作を行なうような開口容易缶蓋において、パネル部には、タブの指掛け部の直下に、指入れ凹部よりも深さの浅い補強凹部が形成されていると共に、タブの上面には、少なくとも補強凹部と平面視でオーバーラップする範囲に、その範囲以外のタブ上面よりも下方に凹んだ低上面部が形成されていることを特徴とするものである。
【発明の効果】
【０００６】
上記のような本発明の開口容易缶蓋によれば、タブの指掛け部の直下で缶蓋パネル部に補強凹部が形成されて、この部分の剛性が高められていることから、ビールや炭酸飲料等の内容物により高くなった容器内圧（陽圧）によって缶蓋の中心部が上方（容器外方）に向かってドーム状に膨出変形する際に、タブの指掛け部の直下に位置する補強凹部の部分で缶蓋の膨出変形が抑制されることとなる。その結果、缶蓋の中心部の膨出と共に上方へ変位するタブの指掛け部と、その直下で変位が抑制される補強凹部とにより、両者の間の隙間を大きく確保することができて、タブの指掛かり性を向上させることができる。
【０００７】
また、タブの指掛け部の直下で缶蓋パネル部に形成された補強凹部は、指入れ凹部よりも深さの浅いものであり、一方、タブの上面には、少なくとも補強凹部と平面視でオーバーラップする範囲に、その範囲以外のタブ上面よりも下方に凹んだ低上面部が形成されていることから、缶蓋の単体同士を積み重ねた際に、タブの指掛け部の低上面部と、指入れ凹部よりも深さの浅い補強凹部とにより、両者の積み重ねによる当接を抑えることができて、缶蓋の積み重ね性（スタック性）を良好に維持することができる。
【発明を実施するための最良の形態】
【０００８】
タブの指掛け部に対して缶蓋パネル部に指入れ凹部が形成された開口容易缶蓋について、缶蓋の積み重ね性を悪化させることなく、タブの指掛け部への指掛かり性を向上させるという目的を、最良の形態として以下の実施例に具体的に示すように、パネル部には、タブの指掛け部の直下に、指入れ凹部よりも深さの浅い補強凹部を形成すると共に、タブの上面には、少なくとも補強凹部と平面視でオーバーラップする範囲に、その範囲以外のタブ上面よりも下方に凹んだ低上面部を形成する、ということで実現した。
【実施例】
【０００９】
本実施例の開口容易缶蓋は、飲料用の缶容器に使用するステイオンタブ方式の開口容易缶蓋であって、図１に示すように、アルミニウム合金等の金属薄板から製造された缶蓋１では、パネル部２とカウンターシンク部（環状溝とチャックウォール）３とフランジ部４とが一体的にプレス成形されている本体部分に対して、それとは別体に形成された開口操作用のタブ６が、略円板状のパネル部２の略中央に一体的に形成されたリベット部５でのリベット止めによって固着されている。
【００１０】
缶蓋１の略円板状のパネル部２には、破断可能なスコア線７（なお、開口時に破断する外側の主スコア線７に対して、破断しない内側の副スコア線が二重線の状態で設けられている）が、その一部分がリベット部５に近接して沿うように刻設されており、スコア線７（開口時に破断する主スコア線）によって囲まれた領域が、開口時に缶内に押し下げられる開口片８の部分となっていて、スコア線７の両端部の間の部分は、開口時にパネル部２と開口片８とを繋ぐヒンジ部分となる。なお、開口片８となる部分には、当該部分の剛性を高めるために補強突起８ａが形成されている。
【００１１】
スコア線７で囲まれたパネル部２の開口片８に対して、開口操作用のタブ６では、その一端側が指掛け部６ａとして、リベット部５との間にリングホールを設けた状態で、リベット部５を挟んで開口片８とは反対側に位置し、その他端側が押下げ部６ｂとして開口片８の上方に位置するように、開口片８の領域外で、パネル部２の略中央に形成されたリベット部５により、パネル部２にリベット止めで固着されている。
【００１２】
タブ６では、全体の外周縁（指掛け部６ａの外端を含む）やリングホールの内周縁（指掛け部６ａの内端を含む）で金属板が下面側に折り曲げられており、それらの部分では剛性が極めて高いのに対して、リベット部５によりリベット止めされる部分の近傍では、一枚の金属板だけで変形し易いようになっている。また、金属板を折り曲げたタブ６の指掛け部６ａの厚さは、金属板を折り曲げたタブ６の他の外周部分の厚さよりも薄くなっており、それによって、パネル面との間に隙間ができて指掛かり性が向上するようになっている。
【００１３】
そのようなタブ６とパネル部２の開口片８の領域を内包するように、パネル部２には、その一部分として、パネル部２の他の部分よりも少し凹んだセンターパネル部９が形成されており、それによって、缶蓋上面でのタブ６の突出の度合いが低く抑えられると共に、パネル部２の全体的な剛性が高められている。
【００１４】
なお、このセンターパネル部９について、本実施例では、センターパネル部９の周縁（傾斜面）を示す輪郭のうちで、タブ６の指掛け部６ａ付近の輪郭は、缶蓋周辺側に向かって拡がるような平面視で略扇状に形成されており、この略扇状の両側縁の開き角度は、１５〜５０゜の範囲（具体的には２２゜）に設定されている。
【００１５】
また、パネル部２の一部分であるセンターパネル部９には、タブ６の指掛け部６ａの下方付近から缶蓋周辺側に、指掛け部６ａを摘み易くするための指入れ凹部１０が形成されており、この指入れ凹部１０は、センターパネル部９の周縁部分である傾斜面の一部分と連なった状態で、センターパネル部９よりも更に下方に凹むように形成されている。
【００１６】
ところで、上記のようにパネル部２（のセンターパネル部９）に指入れ凹部１０が形成された本実施例の缶蓋１において、さらに、パネル部２（のセンターパネル部９）には、タブ６の指掛け部６ａの直下に、指入れ凹部１０よりも深さの浅い補強凹部１１が形成されており、一方、タブ６の上面には、缶蓋１の単体同士を積み重ねたときに少なくとも補強凹部１１と平面視でオーバーラップする範囲に、その範囲以外のタブ上面よりも下方に凹んだ低上面部６ｃが形成されている。
【００１７】
タブ６の指掛け部６ａの直下に位置する補強凹部１１は、指入れ凹部１０の周縁部分に連設されており、指入れ凹部１０との境界となる補強凹部１１の端縁は、タブ指掛け部６ａの外端の下方近傍に位置していて、具体的には、指入れ凹部１０の内周縁（補強凹部１１との境界となる缶蓋中心側の周縁）とタブ指掛け部６ａの外端とが平面視で僅かにオーバーラップするように位置している。
【００１８】
なお、指入れ凹部１０と補強凹部１１は、何れも、パネル部２のパネル面に略平行な底面と、該底面を取り囲む傾斜面とを有するものであるが、指入れ凹部１０の底面を囲む傾斜面のうち、タブ指掛け部６ａの下方付近の傾斜面は補強凹部１１と接続されており、一方、それ以外の個所の傾斜面は、センターパネル部９と接続されていて、且つ、補強凹部１１の高さ付近で、上段よりも下段の方が傾斜が緩くなるように傾斜角度が異なる複数段の傾斜面に形成されている。
【００１９】
上記のように指入れ凹部１０と補強凹部１１が形成されてタブ６に低上面部６ｃが形成された本実施例の缶蓋１では、缶蓋の単体同士を積み重ねた際、補強凹部１１の深さは、下側に積み重ねられた缶蓋１のタブ６の低上面部６ｃに当接しない程度の深さに設定されており、指入れ凹部１０の深さは、下側に積み重ねられた缶蓋１のタブ６の低上面部６ｃよりも下方に位置する程度の深さに設定されていて、タブ６の指掛け部６ａの外端は、補強凹部１１に続く指入れ凹部１０の傾斜面とは当接しない位置に配置されている。
【００２０】
そのような本実施例の缶蓋１の指入れ凹部１０と補強凹部１１とタブ６の低上面部６ｃについて、垂直方向での距離関係（深さ）を具体的に説明すると、センターパネル部９のパネル面（底面）から補強凹部１１の底面までは、０．２〜０．５ｍｍの範囲（具体的には０．４ｍｍ）に設定され、センターパネル部９のパネル面（底面）から指入れ凹部１０の底面までは、０．６〜１．１ｍｍの範囲（具体的には１ｍｍ）に設定され、パネル部２のパネル面から指入れ凹部１０の底面までは、１．１〜１．６ｍｍの範囲（具体的には１．４ｍｍ）に設定され、タブ６の指掛け部６ａの下面から補強凹部１１の底面までは、０．８〜１．２ｍｍ（具体的には１ｍｍ）に設定され、タブ６の上面から低上面部６ｃまでは、０．１〜０．３ｍｍの範囲（具体的には０．２ｍｍ）に設定されている。
【００２１】
また、水平方向での距離関係、即ち、縦幅（タブ６の中心軸線方向の長さ）や横幅（タブ６の中心軸線方向と直交する方向の長さ）について具体的に説明すると、指入れ凹部１０については、その横幅は、タブ６の横幅よりも大きく形成されており、好ましくは、パネル部２の外周部を充分に補強できるように、１７〜２５ｍｍの範囲（具体的には２１ｍｍ）に設定されていて、指入れ凹部１０の底面の大きさは、縦幅が１．９ｍｍ、横幅が９．１ｍｍとなるように設定されている。
【００２２】
タブ６の指掛け部６ａの直下に位置する補強凹部１１については、その横幅は、タブ６の横幅と同程度の長さであり、その縦幅は、タブ指掛け部６ａの外端（缶蓋周辺側の周縁）近傍から内端（缶蓋中心側の周縁）近傍にまで延びる程度の長さであって、好ましくは、充分な補強効果を得ることができるように、縦幅は１．５〜５ｍｍの範囲（具体的には２．５ｍｍ）に設定されている。
【００２３】
少なくとも補強凹部１１と平面視でオーバーラップするように設けられたタブ６の低上面部６ｃについては、タブ６の指掛け部６ａの外端から缶蓋中心側に向けて縦幅が２〜７ｍｍの範囲となるように設定されており、好ましくは、タブ６の指掛け部６ａ付近での反り返りを発生させることなく、缶蓋の積み重ね性を確保できるように、具体的には縦幅が５ｍｍの範囲として、タブ６の指掛け部６ａの外端から、タブ６のリングホールの中間部付近にまで連続して設けられている。
【００２４】
以上に説明したような本実施例の開口容易缶蓋によれば、タブ６の指掛け部６ａの直下でパネル部２（のセンターパネル部９）に補強凹部１１が形成されて、この部分の剛性が高められていることから、ビールや炭酸飲料等の内容物により高くなった容器内圧（陽圧）によって缶蓋１の中心部が上方（容器外方）に向かってドーム状に膨出変形する際に、タブ６の指掛け部６ａの直下に位置する補強凹部１１の部分で缶蓋の膨出変形が抑制されることとなる。その結果、缶蓋１の中心部の膨出と共に上方へ変位するタブ６の指掛け部６ａと、その直下で変位が抑制される補強凹部１１とにより、両者の間の隙間を大きく確保することができて、タブ６の指掛かり性を向上させることができる。
【００２５】
また、タブ６の指掛け部６ａの直下に位置する補強凹部１１は、指入れ凹部１０よりも深さの浅いものであり、一方、タブ６の上面には、少なくとも補強凹部１１と平面視でオーバーラップする範囲に、その範囲以外のタブ上面よりも下方に凹んだ低上面部６ｃが形成されていることから、缶蓋１の単体同士を積み重ねた際に、タブ６の指掛け部６ａの低上面部６ｃと、指入れ凹部１０よりも深さの浅い補強凹部１１とにより、両者の積み重ねによる当接を抑えることができて、缶蓋１の積み重ね性（スタック性）を良好に維持することができる。
【００２６】
さらに、本実施例の缶蓋１では、指入れ凹部１０の周縁部分に補強凹部１１が連設されていて、指入れ凹部１０との境界となる補強凹部１１の端縁が、タブ５の指掛け部６ａの外端の下方近傍に位置していることで、指入れ凹部１０に指先を入れてタブ６の指掛け部６ａに指を掛ける際に、補強凹部１１により指掛け部６ａの直下にも隙間が確保されていることから、この隙間によりタブ６に指が掛け易くなると共に、補強凹部１１の端縁が指掛け部６ａの外端の下方近傍に位置していることで、缶蓋１の単体同士を積み重ねた際に、タブ５の指掛け部６ａと指入れ凹部１０とが当接して積み重ね性が損なわれるようなことはない。
【００２７】
さらにまた、本実施例の缶蓋１では、パネル部２のうちで、少なくともタブ６と指入れ凹部１０とを含む範囲が、パネル部２の他の部分よりも凹んだセンターパネル部９に形成されていて、センターパネル部９の周縁を示す輪郭のうちで、タブ６の指掛け部６ａ付近の輪郭が、缶蓋周辺側に向かって拡がるような平面視で略扇状に形成されていることから、指入れ凹部１０の横幅をパネル部２の外周縁に沿うように大きく確保できて、この部分でパネル部２の剛性（膨出変形に対する強度）を向上させることができる。
【００２８】
それと共に、指入れ凹部１０から缶蓋中心側に向かってセンターパネル部９の輪郭の幅が狭くなっていることで、センターパネル部９の輪郭部分である傾斜面により、指入れ凹部１０からタブ６の指掛け部６ａ付近までパネル部２を補強することができ、補強凹部１１の付近でパネル部２を一層補強することができて、その結果、容器内圧により缶蓋１の中心部が膨出変形する際に、タブ６の指掛け部６ａの直下に位置する補強凹部１１の付近での膨出変形を一層効果的に抑制することができるため、タブ６の指掛かり性を一層効果的に向上させることができる。
【図面の簡単な説明】
【００２９】
【図１】本発明の開口容易缶蓋の一実施例について、缶蓋の全体を示す平面図。
【図２】図１に示した開口容易缶蓋について、タブの指掛け部と指入れ凹部と補強凹部の付近を拡大して示す缶蓋半径方向に沿った断面図。
【符号の説明】
【００３０】
１        缶蓋（開口容易缶蓋）
２        パネル部
５        リベット部
６        タブ
６ａ      指掛け部
６ｃ      低上面部
７        スコア線
８        開口片
９        センターパネル部
１０      指入れ凹部
１１      補強凹部
【図１】
2010070225.tif 000003
【図２】
2010070225.tif 000004